(57)【要約】【課題】  フレネルレンズアレイ３０をフィルム化した場合でも、映像におけるボケの発生を防止することが可能な、透過型スクリーンを提供する。【解決手段】  映像光を略平行光に変換するフレネルレンズアレイ３０と、映像光を単位レンズごとに発散させるレンチキュラーレンズアレイ４０とを備えた透過型スクリーン２０であって、フレネルレンズアレイ３０はフィルム状に形成され、フレネルレンズアレイ３０とレンチキュラーレンズアレイ４０との間の周縁部がシール剤６０によって密閉封止されるとともに、フレネルレンズアレイ３０とレンチキュラーレンズアレイ４０との間の中央部に形成された空間６２の内部圧力が、空間６２の外部圧力より低くなっている構成とした。【選択図】        図３
2006184559.tif 000002
【特許請求の範囲】
【請求項１】
映像光を略平行光に変換するフレネルレンズアレイと、前記映像光を単位レンズごとに発散させる拡散レンズアレイとを備えた透過型スクリーンであって、
前記フレネルレンズアレイはフィルム状に形成され、
前記フレネルレンズアレイと前記拡散レンズアレイとの間の周縁部が密閉封止されるとともに、前記フレネルレンズアレイと前記拡散レンズアレイとの間の中央部に形成された空間の内部圧力が、前記空間の外部圧力より低くなっていることを特徴とする透過型スクリーン。
【請求項２】
映像光を略平行光に変換するフレネルレンズアレイと、前記映像光を単位レンズごとに発散させる拡散レンズアレイとを備えた透過型スクリーンであって、
前記フレネルレンズアレイはフィルム状に形成され、
前記フレネルレンズアレイにおける複数のフレネルレンズの頂部に接着剤が配設され、前記接着剤により前記フレネルレンズアレイと前記拡散レンズアレイとが固着されていることを特徴とする透過型スクリーン。
【請求項３】
前記フレネルレンズの頂部には、前記拡散レンズアレイに対する平行面が形成され、
前記接着剤は、前記平行面の表面に配設されている、
ことを特徴とする請求項２に記載の透過型スクリーン。
【請求項４】
前記平行面は、前記映像光の主光線が入射しない位置に形成されていることを特徴とする請求項３に記載の透過型スクリーン。
【請求項５】
映像光を略平行光に変換するフレネルレンズアレイと、前記映像光を単位レンズごとに発散させる拡散レンズアレイとを備えた透過型スクリーンであって、
前記フレネルレンズアレイはフィルム状に形成され、
前記フレネルレンズアレイの表面に接着剤のラインが格子状に配設され、前記接着剤により前記フレネルレンズアレイと前記拡散レンズアレイとが固着されていることを特徴とする透過型スクリーン。
【請求項６】
前記接着剤のライン幅は、０．１ｍｍ以下であることを特徴とする請求項５に記載の透過型スクリーン。
【請求項７】
前記接着剤のラインは、前記フレネルレンズアレイの上下方向に対して斜めに配設されていることを特徴とする請求項５または請求項６に記載の透過型スクリーン。
【請求項８】
前記接着剤のラインは、前記フレネルレンズアレイの上下方向に対して略４５°をなすように配設されていることを特徴とする請求項５または請求項６に記載の透過型スクリーン。
【請求項９】
請求項１ないし請求項８のいずれかに記載の透過型スクリーンを備えたことを特徴とする背面投射型ディスプレイ装置。
【発明の詳細な説明】
【技術分野】
【０００１】
本発明は、透過型スクリーンおよび背面投射型ディスプレイ装置に関するものである。
【背景技術】
【０００２】
透過型スクリーンを備えた背面投射型ディスプレイ装置として、リアプロジェクションテレビが知られている。リアプロジェクションテレビは、光源としてのプロジェクタから映像光を投射し、反射鏡により反射させて、略長方形平板状をなす透過型スクリーンの背面に入射させるものである。これにより、透過型スクリーンの正面に位置する観察者が、透過した映像光を観察することができるようになっている。
【０００３】
図７は、従来の透過型スクリーンの平面断面図である。透過型スクリーン９２０は、主に、映像光を略平行光に変換するフレネルレンズアレイ３０が光源側に配置され、映像光を単位レンズごとに発散させるレンチキュラーレンズアレイ（拡散レンズアレイ）４０が観察者側に配置されて構成されている（例えば、特許文献１および２参照）。
【０００４】
フレネルレンズアレイ３０は、基材３２の観察者側に配置されたフレネルレンズ３１と、基材３２の光源側に装着された第１拡散板３３とを備えている。この第１拡散板３３により、フレネルレンズアレイ３０の自立性（剛性）が確保されている。
レンチキュラーレンズアレイ４０は、基材４２の光源側に配置されたレンチキュラーレンズ４１と、基材４２の観察者側に固着された第２拡散板４３とを備えている。この第２拡散板４３により、レンチキュラーレンズアレイ４０の自立性が確保されている。
【０００５】
そして、フレネルレンズアレイ３０およびレンチキュラーレンズアレイ４０の周縁部に配置した枠体（不図示）により、両者が共締めされている。これにより、フレネルレンズアレイ３０およびレンチキュラーレンズアレイ４０が密着した状態で、透過型スクリーン９２０が形成されている。
【特許文献１】特開２００２−２３６３１９号公報
【特許文献２】米国特許第６３０７６７５号明細書
【特許文献３】特許第３００２４７７号公報
【特許文献４】実開平１−１１７６３４号公報
【発明の開示】
【発明が解決しようとする課題】
【０００６】
上述したフレネルレンズアレイ３０の第１拡散板３３は、比較的厚く形成される。そのため、透過型スクリーン９２０が重厚になり、なおかつコストが高くなる。しかも、第１拡散板３３が厚くなると、透過型スクリーン９２０のフォーカスが甘くなり、解像度および鮮鋭度が悪くなる。
【０００７】
そこで、フレネルレンズアレイ３０のフィルム化が検討されている（例えば、特許文献３および４参照）。これは、例えば基材３２の光源側表面の粗面化等により第１拡散部を形成し、第１拡散板３３を廃止して、フレネルレンズアレイ３０を厚さ０．８ｍｍ以下に薄型化するものである。これにより、透過型スクリーン９２０を軽薄化し、なおかつ低コスト化することができる。しかも、透過型スクリーン９２０の解像度および鮮鋭度を向上させることができる。
【０００８】
しかしながら、第１拡散板３３を廃止することにより、フレネルレンズアレイ３０の自立性が失われる。この場合、枠体によりフレネルレンズアレイ３０の周縁部をレンチキュラーレンズアレイ４０に固定したとしても、フレネルレンズアレイ３０の中央部がレンチキュラーレンズアレイ４０から浮上るおそれがある。フレネルレンズアレイ３０が浮上ると、映像光の光路が乱れ、映像光を所定位置で結像させることができなくなり、映像にボケが発生するという問題がある。
【０００９】
本発明は、上記課題を解決するためになされたものであって、フレネルレンズアレイをフィルム化した場合でも、映像におけるボケの発生を防止することが可能な、透過型スクリーンの提供を目的とする。
また、表示品質に優れた背面投射型ディスプレイ装置の提供を目的とする。
【課題を解決するための手段】
【００１０】
上記目的を達成するため、本発明に係る透過型スクリーンは、映像光を略平行光に変換するフレネルレンズアレイと、前記映像光を単位レンズごとに発散させる拡散レンズアレイとを備えた透過型スクリーンであって、前記フレネルレンズアレイはフィルム状に形成され、前記フレネルレンズアレイと前記拡散レンズアレイとの間の周縁部が密閉封止されるとともに、前記フレネルレンズアレイと前記拡散レンズアレイとの間の中央部に形成された空間の内部圧力が、前記空間の外部圧力より低くなっていることを特徴とする。
この構成によれば、フィルム状に形成されたフレネルレンズアレイの中央部が、拡散レンズアレイから浮上るのを防止することができる。その結果、映像光の光路の乱れが防止され、映像光を所定位置で結像させることが可能になり、映像におけるボケの発生を防止することができる。
【００１１】
一方、本発明に係る他の透過型スクリーンは、映像光を略平行光に変換するフレネルレンズアレイと、前記映像光を単位レンズごとに発散させる拡散レンズアレイとを備えた透過型スクリーンであって、前記フレネルレンズアレイはフィルム状に形成され、前記フレネルレンズアレイにおける複数のフレネルレンズの頂部に接着剤が配設され、前記接着剤により前記フレネルレンズアレイと前記拡散レンズアレイとが固着されていることを特徴とする。
この構成によっても、フィルム状に形成されたフレネルレンズアレイの中央部が、拡散レンズアレイから浮上るのを防止することができる。その結果、映像光の光路の乱れが防止され、映像光を所定位置で結像させることが可能になり、映像におけるボケの発生を防止することができる。
【００１２】
また、前記フレネルレンズの頂部には、前記拡散レンズアレイに対する平行面が形成され、前記接着剤は、前記平行面の表面に配設されていることが望ましい。
この構成によれば、フレネルレンズの頂部に多くの接着剤を配設することが可能になり、フレネルレンズアレイと拡散レンズアレイとを強固に固着することができる。
【００１３】
また、前記平行面は、前記映像光の主光線が入射しない位置に形成されていることが望ましい。
この構成によれば、映像光の光路の乱れを防止することができる。
【００１４】
一方、本発明に係る他の透過型スクリーンは、映像光を略平行光に変換するフレネルレンズアレイと、前記映像光を単位レンズごとに発散させる拡散レンズアレイとを備えた透過型スクリーンであって、前記フレネルレンズアレイはフィルム状に形成され、前記フレネルレンズアレイの表面に接着剤のラインが格子状に配設され、前記接着剤により前記フレネルレンズアレイと前記拡散レンズアレイとが固着されていることを特徴とする。
この構成によっても、フィルム状に形成されたフレネルレンズアレイの中央部が、拡散レンズアレイから浮上るのを防止することができる。その結果、映像光の光路の乱れが防止され、映像光を所定位置で結像させることが可能になり、映像におけるボケの発生を防止することができる。
【００１５】
また、前記接着剤のライン幅は、０．１ｍｍ以下であることが望ましい。
この構成によれば、映像光が接着剤の内部を透過する可能性が少なくなり、映像光の光路の乱れを防止することができる。
【００１６】
また、前記接着剤のラインは、前記フレネルレンズアレイの上下方向に対して斜めに配設されていることが望ましい。
また、前記接着剤のラインは、前記フレネルレンズアレイの上下方向に対して略４５°をなすように配設されていることが望ましい。
これらの構成によれば、映像におけるモアレの発生を防止することができる。
【００１７】
一方、本発明に係る背面投射型ディスプレイ装置は、上述した透過型スクリーンを備えたことを特徴とする。
この構成によれば、映像におけるボケの発生を防止することが可能な透過型スクリーンを備えているので、表示品質に優れた背面投射型ディスプレイ装置を提供することができる。
【発明の効果】
【００１８】
本発明の透過型スクリーンによれば、フィルム状に形成されたフレネルレンズアレイの中央部が、拡散レンズアレイから浮上るのを防止することができる。その結果、映像光の光路の乱れが防止され、映像光を所定位置で結像させることが可能になり、映像におけるボケの発生を防止することができる。
【発明を実施するための最良の形態】
【００１９】
（第１実施形態）
以下、本発明の第１実施形態につき、図面を参照しながら詳細に説明する。
（背面投射型ディスプレイ装置）
図１は、背面投射型ディスプレイ装置の一例であるリアプロジェクションテレビの側面断面図である。図１に示すリアプロジェクションテレビ１０は、映像光を投射する光源としてのプロジェクタ１２と、映像光を反射する反射鏡１３，１４と、映像光を背面から入射させ正面から出射させる透過型スクリーン２０と、透過型スクリーン２０の正面を外部に露出させつつ全体を覆う筐体１１とを主として構成されている。
【００２０】
（透過型スクリーン）
図２は、透過型スクリーンの平面断面図である。一般に、透過型スクリーン２０は、映像光を略平行光に変換するフレネルレンズアレイ３０が光源側に配置され、映像光を単位レンズごとに発散させるレンチキュラーレンズアレイ（拡散レンズアレイ）４０が観察者側に配置されて構成されている。
【００２１】
（フレネルレンズアレイ）
フレネルレンズアレイ３０は、基材３２の光源側に、複数のフレネルレンズ３１を配置して構成されている。基材３２は、ポリエチレンテレフタレート（ＰＥＴ）等の光透過性を有する材料により、横長の略長方形状に形成されている。フレネルレンズ３１は、アクリル等の光硬化性および光透過性を有する樹脂材料等からなる突条を、同心円状に配置して構成されている。このフレネルレンズ３１は、当該部分に入射した映像光を屈折させ、略平行光に変換して出射させるものである。そのため、各フレネルレンズ３１は、映像光の入射角度に応じた傾斜面を備えている。
【００２２】
一方、基材３２の観察者側には、第１拡散部３４が形成されている。第１拡散部３４は、基材３２の観察者側の表面にマット処理を施して、その表面を粗面化することにより形成されている。なお、基材３２の観察者側に拡散フィルムを装着して、第１拡散部３４を形成してもよい。このようなフレネルレンズアレイ３０は、厚さ０．２〜０．８ｍｍ程度のフィルム状に形成されている。
【００２３】
このフレネルレンズアレイ３０を製造するには、まず基材３２となるＰＥＴフィルムの片面を粗面化する。なお、予め片面が粗面化されたＰＥＴフィルムを使用してもよい。また、ＰＥＴフィルム内に拡散性フィラーを含有してもよい。次に、フレネルレンズ３１の逆形状が形成された金型内に、基材３２を配置するとともに、光硬化性樹脂を充填する。そして、基材３２の背面から光を照射し、光硬化性樹脂を硬化させて、フレネルレンズアレイ３０を形成する。なお、フレネルレンズ３１の逆形状が形成されたロールを用いて、フレネルレンズアレイ３０を連続形成することも可能である。
【００２４】
（レンチキュラーレンズアレイ）
一方、レンチキュラーレンズアレイ４０は、基材４２の光源側に、複数のレンチキュラーレンズ４１を配置して構成されている。基材４２は、ポリエチレンテレフタレート（ＰＥＴ）等の光透過性を有する材料により、横長の略長方形状に形成されている。レンチキュラーレンズ４１は、アクリル等の光硬化性および光透過性を有する樹脂材料等からなる、略半円柱状のシリンドリカルレンズである。そして、レンチキュラーレンズ４１の長手方向をスクリーンの上下方向に一致させて、複数のレンチキュラーレンズ４１がスクリーンの左右方向に並列配置されている。なお、各レンチキュラーレンズ４１の配列ピッチは１．０ｍｍ以下（好ましくは０．２ｍｍ以下）に設定され、ファインピッチのレンチキュラーレンズアレイ４０が構成されている。
【００２５】
また、基材４２の観察者側には、光吸収性材料からなる遮光層４５が設けられている。この遮光層４５は、基材４２の観察者側の表面であって、レンチキュラーレンズ４１による映像光の非集光部に、ストライプ状に形成されている。その遮光層４５を覆うように、第２拡散部４６が形成されている。第２拡散部４６は、光透過性を有する樹脂製接着剤の内部にシリカ等の光拡散材を分散させて構成され、レンチキュラーレンズ４１による映像光の結像位置の近傍に形成されている。なお、基材４２の観察者側に所定厚さの拡散フィルムを装着して、第２拡散部４６を形成してもよい。
【００２６】
さらに、第２拡散部４６を構成する接着剤を挟んで、基材４２の観察者側に、支持基板５０が装着されている。この支持基板５０は、メタクリル酸メチル（ＭＭＡ）とスチレンとの共重合体（ＭＳ）、ポリメタクリル酸メチル（ＰＭＭＡ）、またはガラス等の光透過性を有する材料により、厚さ１〜２ｍｍ程度に形成されている。支持基板５０の観察者側には、第３拡散部５２が形成されている。第３拡散部５２は、支持基板５０の観察者側の表面にマット処理を施して、その表面を粗面化することにより形成されている。なお、支持基板５０の観察者側に拡散フィルムを装着して、第３拡散部５２を形成してもよい。
【００２７】
（固着構造）
図３は、第１実施形態に係るフレネルレンズアレイおよびレンチキュラーレンズアレイの固着構造の説明図であり、第１実施形態に係る透過型スクリーンの平面断面図である。フレネルレンズアレイ３０の周縁部には、アクリル等の光硬化性樹脂等からなるシール剤６０が配設されて、フレネルレンズアレイ３０とレンチキュラーレンズアレイ４０とが固着されている。このシール剤６０は、フレネルレンズアレイ３０および／またはレンチキュラーレンズアレイ４０の外側から光を照射して硬化されている。
【００２８】
フレネルレンズアレイ３０とレンチキュラーレンズアレイ４０との間の周縁部は、シール剤６０によって密閉封止されている。そして両者間の中央部には、シール剤６０によって囲まれた空間６２が形成されている。この空間６２の内部圧力は、空間６２の外部圧力より低く設定されている。具体的には、予めシール剤６０の一部に空間６２の内外の連通口（不図示）を設けておき、シール剤６０の硬化後にその連通口から空間６２のガスを吸引して、最後に連通口を封止する。なお、連通口を設けることなく、低圧環境下でフレネルレンズアレイ３０およびレンチキュラーレンズアレイ４０を貼り合わせてもよい。
【００２９】
以上のように、本実施形態に係る透過型スクリーン２０が構成されている。このスクリーン２０は、レンチキュラーレンズアレイ４０の観察者側に配置した支持基板５０により自立性（剛性）が確保されるようになっている。
【００３０】
なお図２に示すように、本実施形態に係る透過型スクリーン２０では、フレネルレンズアレイ３０の第１拡散部３４、並びにレンチキュラーレンズアレイ４０の第２拡散部４６および第３拡散部５２の、３個の拡散部が形成されている。そのうち、第２拡散部４６が主たる拡散部として機能し、第１拡散部３４および第３拡散部５２が従たる拡散部として機能するようになっている。また、第１拡散部３４から第２拡散部４６までの距離は１ｍｍ程度に設定され、第１拡散部３４から第３拡散部５２までの距離は２ｍｍ以上（好ましくは３ｍｍ以上）に設定されている。このように各拡散部を配置することにより、映像のシンチレーションを防止しうるようになっている。
【００３１】
（映像表示方法）
次に、本実施形態に係る透過型スクリーンを備えた背面投射型ディスプレイ装置において、映像表示を行う方法につき、図１および図２を用いて説明する。
まず、図１に示すプロジェクタ１２から映像光を投射する。この映像光は、反射板１３および反射板１４により反射されて、透過型スクリーン２０の背面に入射する。
【００３２】
次に、図２に示す透過型スクリーン２０において、フレネルレンズアレイ３０に入射した映像光は、まず第１拡散部３４により弱く拡散され、基材３２を透過して、各フレネルレンズ３１に入射する。プロジェクタから放射状に投射された映像光は、各フレネルレンズ３１の傾斜面で屈折されて、略平行光に変換される。その後、フレネルレンズアレイ３０から出射された映像光は、フレネルレンズアレイ３０に密接配置されているレンチキュラーレンズアレイ４０に入射する。
【００３３】
レンチキュラーレンズアレイ４０に入射した映像光は、単位凸レンズであるレンチキュラーレンズ４１ごとに集光され、基材４２の観察者側の表面付近で結像する。なお、遮光層４５はレンチキュラーレンズ４１による映像光の非集光部に形成されているので、映像光はストライプ状の遮光層４５の隙間を透過する。そして、結像後の映像光は、レンチキュラーレンズ４１ごとに放射状に発散される。しかも、第２拡散部４６を透過する過程で映像光が強く拡散される。これにより、背面投射型ディスプレイ装置は広視野角を確保しうるようになっている。その後、映像光は支持基板５０を透過し、第３拡散部５２で弱く拡散されて、レンチキュラーレンズアレイ４０から出射される。
以上により、背面投射型ディスプレイ装置の透過型スクリーンから映像光が出射され、観察者に到達することによって映像表示が行われる。
【００３４】
以上に詳述したように、図３に示す第１実施形態に係る透過型スクリーン２０は、フレネルレンズアレイ３０がフィルム状に形成され、フレネルレンズアレイ３０とレンチキュラーレンズアレイ４０との間の周縁部がシール剤６０により密閉封止されるとともに、両者の中央部に形成された空間６２の内部圧力が、空間６２の外部圧力より低く設定されている構成とした。この構成によれば、フィルム状に形成されたフレネルレンズアレイの中央部が、レンチキュラーレンズアレイから浮上るのを防止することができる。その結果、映像光の光路の乱れが防止され、映像光を所定位置で結像させることが可能になり、映像におけるボケの発生を防止することができる。
【００３５】
（第２実施形態）
次に、第２実施形態に係る透過型スクリーンにつき、図４を参照して詳細に説明する。
図４は、第２実施形態に係るフレネルレンズアレイおよびレンチキュラーレンズアレイの固着構造の説明図であり、第２実施形態に係る透過型スクリーンの平面断面図である。第２実施形態に係る透過型スクリーン２２０は、フレネルレンズアレイ３０がフィルム状に形成され、フレネルレンズアレイ３０を構成する複数のフレネルレンズ３１の頂部に接着剤７０が配設されて、この接着剤７０によりフレネルレンズアレイ３０とレンチキュラーレンズアレイ４０とが固着されたものである。なお、第１実施形態と同様の構成となる部分については、その詳細な説明を省略する。
【００３６】
図４に示す透過型スクリーン２２０では、フレネルレンズアレイ３０を構成する複数のフレネルレンズ３１の頂部に、接着剤７０が配置されている。このような接着剤７０の配置は、接着剤７０が塗布されたローラをフレネルレンズアレイ３０の表面で転動させ、ローラの表面からフレネルレンズ３１の頂部に接着剤７０を転写させることによって実現することができる。この接着剤７０は、アクリル等の光硬化性樹脂からなり、フレネルレンズアレイ３０および／またはレンチキュラーレンズアレイ４０の外側から光を照射して硬化されている。この接着剤により、フレネルレンズ３１の頂部とレンチキュラーレンズ４１の頂部とが接着されて、フレネルレンズアレイ３０とレンチキュラーレンズアレイ４０とが固着されている。なお、接着剤７０を弾性材料で構成することにより、フレネルレンズアレイ３０とレンチキュラーレンズアレイ４０との間の緩衝材として機能させることが望ましい。
なお、ここではフレネルレンズアレイ３０とレンチキュラーレンズアレイ４０とを固定する素材として接着剤と記述したが粘着材を使用してもよい。
【００３７】
図５は、フレネルレンズアレイの拡大図である。フレネルレンズ３１の頂部には、接着相手となるレンチキュラーレンズアレイに対する平行面７２が形成されていることが望ましい。なお、レンチキュラーレンズアレイをフレネルレンズアレイと平行に配置する場合には、フレネルレンズアレイの基材３２と平行に平行面７２を形成すればよい。この構成によれば、フレネルレンズ３１の頂部に多くの接着剤７０を配設することが可能になり、フレネルレンズアレイとレンチキュラーレンズアレイとを強固に固着することができる。
【００３８】
ただし、その平行面７２に映像光が入射すると、映像光を所定方向に屈折させて略平行光に変換することができなくなる。そこで、映像光の主光線７４が入射しない位置に、平行面７２を形成することが望ましい。ここで、映像光の主光線７４とは、光源としてのプロジェクタから放射状に投射される各光線である。具体的には、各フレネルレンズ３１のライズ面の角度φを、映像光の主光線７４の入射角度θより小さくして、その主光線７４が入射しない位置に平行面７２を形成すればよい。この構成によれば、映像光の光路の乱れを防止することが可能になり、映像光を所定方向に屈折させて略平行光に変換することができる。
【００３９】
以上に詳述したように、図４に示す第２実施形態に係る透過型スクリーン２２０は、フレネルレンズアレイ３０がフィルム状に形成され、フレネルレンズアレイ３０を構成する複数のフレネルレンズ３１の頂部に接着剤７０が配設されて、この接着剤７０によりフレネルレンズアレイ３０とレンチキュラーレンズアレイ４０とが固着されている構成とした。この構成によっても、第１実施形態と同様に、フィルム状に形成されたフレネルレンズアレイ３０の中央部が、レンチキュラーレンズアレイ４０から浮上るのを防止することができる。その結果、映像光の光路の乱れが防止され、映像光を所定位置で結像させることが可能になり、映像におけるボケの発生を防止することができる。
【００４０】
なお、接着剤７０を構成する樹脂材料の屈折率（約１．３〜１．５）は、一般に空気の屈折率（約１．０）とは異なっている。そのため、フレネルレンズアレイ３０の全面に接着剤を塗布してレンチキュラーレンズアレイ４０を固着すると、両者間において映像光が接着剤７０を透過することになり、映像光の光路が乱れるおそれがある。この点、上述した本実施形態の構成を採用すれば、映像光が接着剤７０を透過する可能性が少なくなるので、フレネルレンズアレイ３０の設計変更等を要することなく、映像光の光路の乱れを防止することができる。
【００４１】
（第３実施形態）
次に、第３実施形態に係る透過型スクリーンにつき、図６を参照して詳細に説明する。
図６は、第３実施形態に係るフレネルレンズアレイおよびレンチキュラーレンズアレイの固着構造の説明図であり、第３実施形態に係る透過型スクリーンの背面図である。第３実施形態に係る透過型スクリーン３２０は、フレネルレンズアレイ３０がフィルム状に形成され、フレネルレンズアレイ３０の表面に接着剤８０のラインが格子状に配設されて、この接着剤８０によりフレネルレンズアレイ３０とレンチキュラーレンズアレイ４０とが固着されたものである。なお、第１実施形態と同様の構成となる部分については、その詳細な説明を省略する。
【００４２】
図６に示す透過型スクリーン３２０では、フレネルレンズアレイ３０におけるフレネルレンズの形成面に、複数の接着剤８０のラインが配設されている。この接着剤８０は、アクリル等の光硬化性樹脂からなり、フレネルレンズアレイ３０および／またはレンチキュラーレンズアレイ４０の外側から光を照射して硬化されている。そして、フレネルレンズの頂部に配置された接着剤８０により、フレネルレンズの頂部とレンチキュラーレンズの頂部とが接着されて、フレネルレンズアレイ３０とレンチキュラーレンズアレイ４０とが固着されている。なお、接着剤８０を弾性材料で構成することにより、フレネルレンズアレイ３０とレンチキュラーレンズアレイ４０との間の緩衝材として機能させることが望ましい。
なお、ここではフレネルレンズアレイ３０とレンチキュラーレンズアレイ４０とを固定する素材として接着剤と記述したが粘着材を使用してもよい。
【００４３】
複数の接着剤８０のラインは、格子状に配設されている。接着剤８０のラインの幅は１００μｍ（０．１ｍｍ）以下とされ、隣接するラインの間隔は４０〜３００μｍ程度とされている。このように、所定間隔を空けて接着剤８０のラインを配置することにより、映像光が接着剤８０の内部を透過する可能性が少なくなり、映像光の光路の乱れを防止することができる。
【００４４】
なお、フレネルレンズアレイ３０において、隣接するフレネルレンズの間隔は５０〜６０μｍとされている。そこで、接着剤８０のラインの間隔をフレネルレンズの間隔と異ならせることが望ましい。また接着剤８０のラインは、フレネルレンズアレイ３０の上下方向に対して斜めに配設することが望ましく、その上下方向に対して４５°をなすように配設することが最も望ましい。これらの構成により、映像におけるモアレの発生を防止することができる。
この角度は、３５°から５５°の範囲であればその効果は生じ、４０°から５０°の範囲内であればより望ましい。
【００４５】
以上に詳述したように、第２実施形態に係る透過型スクリーン３２０は、フレネルレンズアレイ３０がフィルム状に形成され、フレネルレンズアレイ３０の表面に接着剤８０のラインが格子状に配設されて、この接着剤８０によりフレネルレンズアレイ３０とレンチキュラーレンズアレイ４０とが固着された構成とした。この構成によっても、第１実施形態と同様に、フィルム状に形成されたフレネルレンズアレイ３０の中央部が、レンチキュラーレンズアレイ４０から浮上るのを防止することができる。その結果、映像光を所定位置で結像させることが可能になり、映像におけるボケの発生を防止することができる。
【００４６】
なお、本発明の技術的範囲は、上述した実施形態に限定されるものではなく、本発明の趣旨を逸脱しない範囲において、上述した実施形態に種々の変更を加えたものを含む。すなわち、実施形態で挙げた具体的な材料や構成などはほんの一例に過ぎず、適宜変更が可能である。
【００４７】
例えば、上述した各実施形態では、拡散レンズアレイとしてレンチキュラーレンズアレイを採用したが、複数の単位レンズがマトリクス状に配列されてなるマイクロレンズアレイを採用することも可能である。また、拡散レンズアレイとして、第１のシリンドリカルレンズアレイおよび第２のシリンドリカルレンズアレイが交差するように配置されてなるクロスレンチレンズアレイを採用してもよい。さらに、拡散レンズアレイとして、映像光を反射して拡散させる複数の単位レンズが配列されてなるプリズムレンズアレイを採用してもよい。
【００４８】
また、上述した各実施形態では、レンチキュラーレンズアレイにおけるレンチキュラーレンズおよび基材を個別に形成したが、同一材料により一体的に形成することも可能である。同様に、フレネルレンズアレイにおけるフレネルレンズおよび基材を同一材料により一体的に形成することも可能である。
【図面の簡単な説明】
【００４９】
【図１】リアプロジェクションテレビの側面断面図である。
【図２】透過型スクリーンの平面断面図である。
【図３】第１実施形態の固着構造の説明図である。
【図４】第２実施形態の固着構造の説明図である。
【図５】フレネルレンズアレイの拡大図である。
【図６】第３実施形態の固着構造の説明図であり、透過型スクリーンの背面図である。
【図７】従来の透過型スクリーンの平面断面図である。
【符号の説明】
【００５０】
２０‥透過型スクリーン  ３０‥フレネルレンズアレイ  ４０‥レンチキュラーレンズアレイ  ６０‥シール剤  ６２‥空間
【図１】
2006184559.tif 000003
【図２】
2006184559.tif 000004
【図３】
2006184559.tif 000005
【図４】
2006184559.tif 000006
【図５】
2006184559.tif 000007
【図６】
2006184559.tif 000008
【図７】
2006184559.tif 000009